(57)【要約】【課題】買物メモに購入予定商品を簡便に登録でき、登録時に自宅における在庫確認を併せて行う。【解決手段】実施形態の入力支援装置において入力受付手段は、音声入力またはコード入力を介して、購入予定商品に関する商品情報を受け付ける。購入品在庫問合手段は、会員が所有する購入品在庫を記憶する購入品在庫記憶手段に対して、自装置が記憶する会員識別情報と、前記入力受付手段が受付けた前記購入予定商品の商品情報とを関連付けて出力し、前記購入予定商品の購入品在庫の有無を問い合わせる。在庫報知手段は、前記購入品在庫記憶手段において前記購入予定商品の購入品在庫が有る旨が記憶されていれば、当該購入予定商品の在庫が有る旨を報知する。買物メモ情報出力手段は、前記購入予定商品の商品情報と前記会員識別情報とを関連付けて買物メモ情報を生成し、生成した買物メモ情報を買物メモ記憶手段に出力する。【選択図】図３
2019057330.tif 000002
【特許請求の範囲】
【請求項１】
音声入力またはコード入力を介して、購入予定商品に関する商品情報を受け付ける入力受付手段と、
会員が購入した購入品と使用した前記購入品とを管理することにより前記会員が所有する購入品在庫を記憶する購入品在庫記憶手段に対して、自装置が記憶する会員識別情報と、前記入力受付手段が受付けた前記購入予定商品の商品情報とを関連付けて出力し、前記購入予定商品の購入品在庫の有無を問い合わせる購入品在庫問合手段と、
前記購入品在庫記憶手段において前記購入予定商品の購入品在庫が有る旨が記憶されていれば、当該購入予定商品の在庫が有る旨を報知する在庫報知手段と、
前記入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する買物メモ情報出力手段と、
を備えた入力支援装置。
【請求項２】
前記購入品在庫記憶手段は、前記会員が購入した購入品の数量と、当該会員が使用した当該購入品の数量とに基づいた在庫数量を記憶し、
前記在庫報知手段は、前記購入予定商品と同一の前記購入品について、その在庫が有ると前記購入品在庫記憶手段が記憶していれば、当該購入品の在庫数量を報知する、請求項１に記載の入力支援装置。
【請求項３】
前記購入品在庫記憶手段は、前記会員が購入した購入品について、その購入日を記憶し、
前記在庫報知手段は、前記購入予定商品と同一の前記購入品について、その在庫が有ると前記購入品在庫記憶手段が記憶していれば、当該購入品の購入日を報知する、請求項１または２に記載の入力支援装置。
【請求項４】
前記購入品在庫記憶手段は、前記購入品の製品名を記憶し、
前記在庫報知手段は、前記購入予定商品と同一の前記購入品についてその在庫が有ると前記購入品在庫記憶手段が記憶していれば、当該購入品について前記購入品在庫記憶手段が記憶している前記製品名を報知する、請求項１ないし３のいずれか１つに記載の入力支援装置。
【請求項５】
前記購入品在庫記憶手段は、前記購入品の保管場所を記憶し、
前記在庫報知手段は、前記購入予定商品と同一の前記購入品についてその在庫が有ると前記購入品在庫記憶手段が記憶していれば、当該購入品について前記購入品在庫記憶手段が記憶している前記保管場所を報知する、請求項１ないし４のいずれか１つに記載の入力支援装置。
【請求項６】
入力支援装置において、コンピュータを、
音声入力またはコード入力を介して、購入予定商品に関する商品情報を受け付ける入力受付手段と、
会員が購入した購入品と使用した前記購入品とを管理することにより前記会員が所有する購入品在庫を記憶する購入品在庫記憶手段に対して、自装置が記憶する会員識別情報と、前記入力受付手段が受付けた前記購入予定商品の商品情報とを関連付けて出力し、前記購入予定商品の購入品在庫の有無を問い合わせる購入品在庫問合手段と、
前記購入品在庫記憶手段において前記購入予定商品の購入品在庫が有る旨が記憶されていれば、当該購入予定商品の在庫が有る旨を報知する在庫報知手段と、
前記入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する買物メモ情報出力手段と、
して機能させるプログラム。
【発明の詳細な説明】
【技術分野】
【０００１】
本発明の実施形態は、入力支援装置およびプログラムに関する。
【背景技術】
【０００２】
従来、ＰＯＳ（Point  Of  Sales）端末においてレシート等の購入履歴を電子データ化し、この電子化された購入履歴情報を顧客の携帯端末等に提供するシステムが提案されている。また、上述した購入履歴情報を電子レシートサーバで管理し、購入履歴情報を利用して買物メモの作成を支援する買物支援装置が提案されている。
【０００３】
ここで、買物メモに購入予定の商品を登録する操作をより簡便化することが望まれている。加えて、買物メモに購入予定商品を登録する際に、自宅における購入品の在庫を確認したいという要望もあった。
【発明の概要】
【発明が解決しようとする課題】
【０００４】
本発明が解決しようとする課題は、買物メモに購入予定商品を簡便に登録できるとともに、登録時に自宅における在庫確認を併せて行うことができる入力支援装置およびプログラムを提供することである。
【課題を解決するための手段】
【０００５】
実施形態の入力支援装置は、入力受付手段と、購入品在庫問合手段と、在庫報知手段と、買物メモ情報出力手段とを備える。入力受付手段は、音声入力またはコード入力を介して、購入予定商品に関する商品情報を受け付ける。購入品在庫問合手段は、会員が購入した購入品と使用した前記購入品とを管理することにより前記会員が所有する購入品在庫を記憶する購入品在庫記憶手段に対して、自装置が記憶する会員識別情報と、前記入力受付手段が受付けた前記購入予定商品の商品情報とを関連付けて出力し、前記購入予定商品の購入品在庫の有無を問い合わせる。在庫報知手段は、前記購入品在庫記憶手段において前記購入予定商品の購入品在庫が有る旨が記憶されていれば、当該購入予定商品の在庫が有る旨を報知する。買物メモ情報出力手段は、前記入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する。
【図面の簡単な説明】
【０００６】
【図１】図１は、実施形態にかかる購入品管理システムの概略構成図である。
【図２】図２は、買物支援システムの外観図である。
【図３】図３は、入力支援装置の正面図である。
【図４】図４は、ＰＯＳ端末の構成例を示すブロック図である。
【図５】図５は、携帯端末の構成例を示すブロック図である。
【図６】図６は、電子レシートサーバの構成例を示すブロック図である。
【図７】図７は、購入品管理サーバの構成例を示すブロック図である。
【図８】図８は、購入品管理ＤＢのデータ構成例を示す図である。
【図９】図９は、買物メモ管理ＤＢのデータ構成例を示す図である。
【図１０】図１０は、タブレット端末の構成例を示すブロック図である。
【図１１】図１１は、入力支援装置の構成例を示すブロック図である。
【図１２】図１２は、入力支援装置が購入品管理サーバと協働して行う買物メモ登録処理の手順例を示すフローチャートである。
【図１３】図１３は、買物メモ画面の画面構成例を示す図である。
【発明を実施するための形態】
【０００７】
図１は、実施形態にかかる購入品管理システム１００の概略構成図である。図１に示すように、購入品管理システム１００は主に、ＰＯＳ端末６と、会員の携帯端末５と、電子レシートサーバ７と、購入品管理サーバ８と、買物支援システム４とを含む。
【０００８】
ＰＯＳ端末６は、商品を販売する店舗に設けられる。ＰＯＳ端末６は、ルータ等のネットワーク機器（図示せず）およびネットワークＮ１とを介して、系列店舗の本部に設けられた電子レシートサーバ７に接続する。ここで、ネットワークＮ１は、例えばＶＰＮ（Virtual  Private  Network）等の専用線である。
【０００９】
ＰＯＳ端末６は、自店舗にて客が購入した商品の決済処理を行い、その取引内容を示した商品販売データを生成する。また、ＰＯＳ端末６は、商品販売データのデータ形式を変換した電子レシートを生成し、ネットワークＮ１を介して電子レシートサーバ７に出力（送信）する。
【００１０】
なお、店舗に設けられるＰＯＳ端末６の個数は特に問わないものとする。また、店舗内に商品販売データ処理に用いる商品データファイル等を記憶・管理するストアサーバ等を設けてもよい。この場合、ストアサーバは、ＰＯＳ端末６の各々で生成される電子レシートを収集し、電子レシートサーバ７に一括して出力する構成としてよい。
【００１１】
電子レシートサーバ７は、例えば、系列店舗を運営する企業の本部に設けられる。電子レシートサーバ７は、自企業が運営する各店舗（ＰＯＳ端末６）から送信された電子レシートを受信し管理する。つまり、電子レシートサーバ７は、自企業が運営する各店舗で生成された電子レシートを一括に管理する、企業用の電子レシート管理サーバとして機能する。
【００１２】
電子レシートサーバ７は、ネットワークＮ２を介して、購入品管理サーバ８に接続する。ネットワークＮ２は、例えば、インターネットやＶＰＮ等の専用線である。電子レシートサーバ７は、各店舗から受信した電子レシートを、購入品管理サーバ８に送信する。
【００１３】
購入品管理サーバ８は、例えば、電子レシートサーバ７の各企業とは独立した第３機関のデータセンタ等に設けられる。購入品管理サーバ８は、ネットワークＮ２を介して、電子レシートシステムを利用する各企業の電子レシートサーバ７に接続する。購入品管理サーバ８は、各企業の電子レシートサーバ７から送信された電子レシートを受信し管理する。つまり、購入品管理サーバ８は、各種企業の店舗で生成された電子レシートを一括して管理する、消費者用の電子レシート管理サーバとして機能する。
【００１４】
また、購入品管理サーバ８は、本システムへの登録を行った客（以下「会員」という）に関する会員情報を会員マスタ（不図示）に記憶し、管理する。なお、本システムへの登録方法は特に問わないものとする。例えば、本システムへの登録は、店舗においてＰＯＳ端末６を介して行う形態としてもよいし、タブレット端末２または携帯端末５を介して行う形態としてもよい。会員登録を行った会員には、固有の会員ＩＤが付与される。
【００１５】
会員の携帯端末５は、本システムの利用者（会員）が使用する携帯型情報処理装置である。携帯端末５としては、例えばスマートフォン等の通信端末を用いればよい。携帯端末５は、ネットワークＮ３を介して、電子レシートサーバ７または購入品管理サーバ８に接続する。ネットワークＮ３は、インターネット等の各種公衆網である。
【００１６】
買物支援システム４は、本システムの利用者（会員）が自宅で使用するシステムである。買物支援システム４は、入力支援装置１と、タブレット端末２と、充電ドック３とを含んでいる。入力支援装置１およびタブレット端末２は、ルータ等のネットワーク機器９およびネットワークＮ３を介して購入品管理サーバ８等のサーバ装置に接続する。
【００１７】
図２は、買物支援システム４の外観図である。図２に示すように、買物支援システム４の充電ドック３は、家庭内の冷蔵庫のドアなどに掛けて用いる。充電ドック３の正面には、入力支援装置１およびタブレット端末２をそれぞれ嵌め込むための凹部が形成されており、各凹部の内部には各端末を充電するための充電用端子が設けられている。一般的に、冷蔵庫付近は台所作業において中心的な作業場所の一つであり、冷蔵庫のドア側面（正面でも側面でもよい）は台所で目立つ場所、分かり易い場所といえる。従って本実施形態は、充電ドック３を冷蔵庫のドアに掛けて置ける形状とし、入力支援装置１およびタブレット端末２の置き場所、兼、充電場所としたことで、買物支援システム４の利便性向上を図っている。
【００１８】
図３は、入力支援装置１の正面図である。入力支援装置１は、掌サイズの円形状であり、正面中央にラインインジケータ等の表示器１７が設けられている。また、入力支援装置１の上端部の側面には、コードスキャナ１５が設けられている。また、表示器１７の下方には、音声入力を開始するための音声入力ボタン１２と、コードスキャナ１５によるコード読取を開始するためのコード読取ボタン１３とが設けられている。これら２つのボタンの下方には、音声入力用のマイク１４が設けられている。
【００１９】
入力支援装置１は、買物メモに登録する購入予定商品の商品名の入力を支援する通信端末である。尚、ここで商品名とは、一般名称やカテゴリ名（例えば、牛乳、たまご、ビールなど）が用いられてもよいし、メーカ別の製品名（例えば「ＡＡＡ牛乳」「ＢＢＢたまご」など）が用いられてもよい。
【００２０】
買物メモをつけたいタイミングとしては例えば、購入済み商品（購入品）の残量が少なくなってきた場合や使い切った場合等がある。このように使用中の在庫補充が必要となった際に、ユーザがその場ですぐに買物メモをつけられると便利である。入力支援装置１はこのような場合に、タブレット端末やＰＣ、スマートフォン等を用いずに、単純な操作によって買物メモに補充したい商品についてメモ入力できるよう、商品名の入力処理を支援するものである。より具体的には入力支援装置１は、音声入力またはコード入力により入力された商品名または商品コードを、購入予定商品の商品情報として受付ける。そして、入力支援装置１は、購入予定商品の商品情報を自装置が記憶する会員ＩＤと対応付けて購入品管理サーバ８の購入品管理ＤＢ８５２に送信し、買物メモ情報として購入品管理ＤＢ８５２に登録する。
【００２１】
・音声入力の操作方法
ユーザは、入力支援装置１を片手に取り、音声入力ボタン１２を押しながら買物メモとして入力したい購入予定商品名をマイク１４に向けて話す。ユーザは、商品名を言い終わると音声入力ボタン１２を離して音声入力を終了する。入力支援装置１は、音声入力ボタン１２が押されている間、マイク１４の録音機能を動作させて、音声データを保存する。そして入力支援装置１は音声認識により音声データに含まれる商品名を抽出し、購入品管理サーバ８に出力する。
【００２２】
・コード入力の操作方法
ユーザは、入力支援装置１を片手に取り、コード読取ボタン１３を押しながら在庫補充の必要な商品のコードシンボル（バーコード等）をコードスキャナ１５に読み取らせる。入力支援装置１は、コードスキャナ１５が読み取った商品コード等のコードデータを購入品管理サーバ８に出力する。
【００２３】
次に、上述した各装置の構成について、各装置のブロック図とともにより詳細に説明する。
【００２４】
（１）ＰＯＳ端末
まず、ＰＯＳ端末６について説明する。図４は、ＰＯＳ端末６のハードウェア構成例および機能的構成を示すブロック図である。図４に示すように、ＰＯＳ端末６は、各種演算やＰＯＳ端末６の各部を統括的に制御する制御部６１を備える。制御部６１は、ＣＰＵ（Central  Processing  Unit）、ＲＯＭ（Read  Only  Memory）、ＲＡＭ（Random  Access  Memory）、ＲＴＣ（Real  Time  Clock）等によって構成されるコンピュータである。ＲＯＭは、各種プログラムやデータを記憶する。ＲＡＭは、各種プログラムを一時的に記憶したり各種データを書き換え自在に記憶したりする。ＲＴＣは、現在の日時を計時する。
【００２５】
制御部６１は、バス６９を介して操作部６２、表示部６３、プリンタ６４及びコードスキャナ６５に接続されている。
【００２６】
操作部６２は、オペレータが操作入力を行うための各種の操作キーを有する。操作キーとしては、例えば、数値を入力するための置数キー、所定の項目を選択するためのカーソルキーや選択決定キー、取引における売上登録が行われる商品の合計出力を指示する小計キー、一取引の締め処理を行って代金を決済することを宣言する締めキー等が設けられる。
【００２７】
表示部６３は、例えば液晶ディスプレイ等であり、販売登録された商品の品名、価格、決済が宣言された一取引の合計金額、釣銭額等の各種情報を表示する。表示部６３は、キャッシャ向けに各種情報を表示する店員用ディスプレイ６３ａと、客向けに各種情報を表示する客用ディスプレイ６３ｂとを備える。なお、表示部６３をタッチパネル構成としてもよく、この場合、タッチパネルは操作部６２として機能する。プリンタ６４は、レシートやジャーナル等の印字を行うプリンタ装置である。
【００２８】
コードスキャナ６５は、バーコードや二次元コード等のコードシンボルを光学的に読み取るスキャナ装置である。コードスキャナ６５は、商品に付されたコードシンボルから、商品を特定するための商品コードを読み取って制御部６１に出力する。また、コードスキャナ６５は、会員カードに付されたコードシンボル、または、携帯端末５の表示画面に表されたコードシンボルから、会員を特定するための会員ＩＤを読み取って制御部６１に出力する。
【００２９】
また、制御部６１は、バス６９を介して通信Ｉ／Ｆ（インタフェース）６６に接続されている。制御部６１は通信Ｉ／Ｆ６６を介してネットワークＮ１に接続する。
【００３０】
また、制御部６１は、バス６９を介して近距離通信Ｉ／Ｆ６７に接続されている。制御部６１は、近距離通信Ｉ／Ｆ６７を介して会員の携帯端末５と近距離通信を行い、電子マネー決済処理を行う。尚、制御部６１は、近距離通信Ｉ／Ｆ６７を介して、会員の携帯端末５の記憶部に格納された会員ＩＤ等の情報を読み取ってもよい。
【００３１】
また、制御部６１は、バス６９を介して記憶部６８に接続されている。記憶部６８は、例えばＨＤＤ（Hard  Disk  Drive）やＳＳＤ（Solid  State  Drive）等の補助記憶装置である。記憶部６８は、制御部６１（ＣＰＵ）が実行する各種プログラムを記憶する。また、記憶部６８は、各商品の商品名、商品コード及び単価等の商品データを格納した商品データファイル等の各種データファイルを記憶する。
【００３２】
また、記憶部６８は、自己のＰＯＳ端末６を他のＰＯＳ端末６と識別するためのＰＯＳナンバー、企業コード（自店舗を運営する企業の識別コード）、当該ＰＯＳ端末６が設置される店舗を示す店舗コード等を記憶する。また、記憶部６８は、非構造化形式のレシートデータを、構造化形式のレシートデータ（電子レシート）に変換する際の、変換規則を記述したレシートデータスキーマを記憶する。
【００３３】
次に、ＰＯＳ端末６が実行するプログラムについて説明する。ＰＯＳ端末６において制御部１１のＣＰＵは、記憶部１７のプログラムを実行することにより、図４に示すように、商品販売処理部６１１、レシート出力部６１２をＲＡＭ上に生成する。
【００３４】
商品販売処理部６１１は、商品販売処理及び商品販売データの生成を主に行う。具体的に、商品販売処理部６１１は、コードスキャナ６５等を介して、商品に付されたコードシンボルから商品コードを読み取る。また、商品販売処理部６１１は、読み取った商品コードに対応する商品データを商品データファイルから読み出し、この商品の単価に基づいて決済金額を算出する（商品販売処理）。そして、商品販売処理部６１１は、商品販売処理で処理された各商品の取引内容を含む商品販売データを生成する。
【００３５】
ここで、商品販売データは、非構造化形式のテキストデータである。商品販売データは、店舗を運営する企業を示す企業コード（企業名）、店舗コード（店舗名）、取引日時Ｄ７、取引ナンバー、レジナンバー、担当者名等の要素を含む。また、商品販売データは、決済の対象となった各商品の商品名（商品コード）、単価、点数、各商品の合計金額、顧客が支払った預かり金額、釣り金額等を有する。
【００３６】
また、商品販売処理部６１１は、一取引中の何れかのタイミングにおいて、コードスキャナ１５等を介して客（会員）を特定する会員ＩＤを取得すると、その会員ＩＤを含んだ商品販売データを生成する。
【００３７】
レシート出力部６１２は、商品販売処理部６１１で一取引分の商品販売データが生成される毎に、当該商品販売データを紙レシートとしてプリンタ６４から印字させる。また、レシート出力部６１２は、商品販売データに会員ＩＤが含まれる場合、レシートデータスキーマの変換規則に従い、商品販売データをＸＭＬやＣＳＶ等の構造化形式のデータに変換する。そして、レシート出力部６１２は、データ形式を変換した商品販売データ、つまり電子レシートを、電子レシートサーバ７に送信（出力）する。
【００３８】
（２）会員の携帯端末
次に、携帯端末５の構成について説明する。図５は、携帯端末５のハードウェア構成例および機能的構成を示すブロック図である。図５に示すように、携帯端末５は、ＣＰＵやＲＯＭ、ＲＡＭ、ＲＴＣ等によって構成される制御部５１を備える。制御部５１は、バス５９に接続された通信Ｉ／Ｆ５６を介して、ネットワークＮ３に接続する。また、制御部５１は、バス５９を介して操作部５２、表示部５３、撮像部５４、音声入力部５５、近距離通信Ｉ／Ｆ５７、記憶部５８に接続されている。
【００３９】
操作部５２は、ユーザ（顧客）が操作入力を行うための各種の操作キーや、ポインティングデバイスを有している。表示部５３は、例えば液晶ディスプレイ等であり各種の情報を表示する。なお、表示部５３をタッチパネル構成としてもよく、この場合、タッチパネルは操作部５２として機能する。
【００４０】
記憶部５８は、制御部５１（ＣＰＵ）が実行する各種プログラムの他、各種データを記憶する。また、記憶部５８は、会員ＩＤやパスコード等を格納するための会員ＩＤ記憶領域５８１を有している。
【００４１】
次に、携帯端末５が実行するプログラムについて説明する。携帯端末５において、制御部５１のＣＰＵは記憶部５８のプログラムを実行することにより、図５に示すように、通信制御部５１１と、表示制御部５１２とをＲＡＭ上に生成する。尚、当該プログラムは、例えば、Ｗｅｂブラウザプログラムや、本システム専用のプログラム（アプリケーション）により実現される。
【００４２】
通信制御部５１１は、購入品管理サーバ８との間で各種情報の授受を行う。例えば、通信制御部５１１は、購入品管理サーバ８が提供する表示データを受信する。また、通信制御部５１１は、操作部５２の操作に応じて、各種の要求を購入品管理サーバ８に送信する。
【００４３】
表示制御部５１２は、表示部５３の表示動作を制御し、表示部５３に各種情報を表示させる。また、表示制御部５１２は、通信制御部５１１と協働して、会員ＩＤをデコードしたコードシンボルを表示部５３に表示させる。ＰＯＳ端末６はこのコードシンボルをスキャナで読み取ることで会員ＩＤの入力を受付け、レシートデータと会員ＩＤとを関連付けて電子レシートサーバ７に出力する。
【００４４】
（３）電子レシートサーバ
次に、電子レシートサーバ７について説明する。図６は、電子レシートサーバ７のハードウェア構成例および機能的構成を示すブロック図である。図６に示すように、電子レシートサーバ７は、ＣＰＵやＲＯＭ、ＲＡＭ、ＲＴＣ等によって構成される制御部７１を備えている。制御部７１は、バス７６を介して、キーボードやマウス等の操作部７２と、表示部７３が接続される。また、制御部７１は、バス７６に接続された通信Ｉ／Ｆ７４を介して、ネットワークＮ１、Ｎ２、Ｎ３に接続できる。また、制御部７１は、バス７６を介して記憶部７５に接続されている。
【００４５】
記憶部７５は、制御部７１（ＣＰＵ）が実行する各種プログラムを記憶する。また、記憶部７５は、店舗のＰＯＳ端末６から送信された電子レシートを記憶・管理するための電子レシートＤＢ７５１を有する。
【００４６】
次に、電子レシートサーバ７が実行するプログラムについて説明する。制御部７１のＣＰＵは、記憶部７３のプログラムを実行することにより、図６に示すように、電子レシート管理部８１１と、電子レシート転送部７１２とをＲＡＭ上に生成する。
【００４７】
電子レシート管理部８１１は、各ＰＯＳ端末６から送信される電子レシートを受信し、受信した電子レシートを記憶部７５の電子レシートＤＢ７５１に格納する。
【００４８】
電子レシート転送部７１２は、電子レシート管理部８１１が受信した電子レシートを、所定のタイミングで購入品管理サーバ８に送信（転送）する。なお、電子レシート転送部７１２が、電子レシートを転送するタイミングは特に問わないものとする。例えば、電子レシート転送部７１２は、電子レシート管理部８１１が電子レシートを受信したタイミングで、当該電子レシートを転送してもよい。また、電子レシート転送部７１２は、所定の時間（例えば１時間）毎に、電子レシートを転送してもよい。
【００４９】
（４）購入品管理サーバ
次に、購入品管理サーバ８の構成について説明する。図７は、購入品管理サーバ８のハードウェア構成例および機能的構成を示すブロック図である。購入品管理サーバ８は、ＣＰＵやＲＯＭ、ＲＡＭ、ＲＴＣ等によって構成される制御部８１を備える。制御部８１は、バス８６に接続された通信Ｉ／Ｆ８４を介して、ネットワークＮ２及びネットワークＮ３に接続する。制御部８１は、バス８６を介して接続された操作部８２、表示部８３、通信Ｉ／Ｆ８４、記憶部８５の動作や各種処理を制御する。
【００５０】
記憶部８５は、制御部８１（ＣＰＵ）が実行する各種プログラムを記憶している。また、記憶部８５は、電子レシートＤＢ８５１、購入品管理ＤＢ８５２、買物メモ管理ＤＢ８５３、商品データファイル８５４を格納している。
【００５１】
電子レシートＤＢ８５１は、各企業の電子レシートサーバ７から提供された電子レシートを記憶・管理するためのデータベースである。電子レシートは、会員ＩＤ、企業コード（店舗を運営する企業の識別コード）、店舗コード、レシートナンバー、取引日時等を含む。また、電子レシートは、会員が買い上げた商品の商品コードや単価、点数、当該商品の販売方式、支払金額等を記録した商品販売データの内容を含む。
【００５２】
購入品管理ＤＢ８５２は、各会員が購入した商品（以下、購入品という）に関する購入品情報を記憶し、管理するためのデータベースである。
【００５３】
図８は、購入品管理ＤＢ８５２のデータ構成例を示す図である。図８に示すように、購入品管理ＤＢ８５２は、会員ＩＤに対応付けて、その会員ＩＤに対応する会員の購入品に関する購入品情報を、購入品ごとに登録し管理するためのデータベースである。購入品情報は、管理番号、商品コード、購入数量（分量）、保管場所情報、購入品在庫数量を含む。
【００５４】
管理番号は、各購入品を１品ずつ管理するための管理番号であり、購入品（商品コード）毎に固有の番号が割り振られる。なお、管理番号は、同一の会員ＩＤに関連付けて登録される購入品間で相違すればよく、例えば購入品管理ＤＢ８５２に登録された順に昇順の番号を割り当てる形態としてもよい。商品コードは、会員が購入した各商品、つまり購入品の商品コードである。購入数量は、購入品の購入数量を意味し、デフォルトの状態で“１”が設定されるものとする。
【００５５】
保管場所情報は、会員宅における購入品の保管場所を示す情報である。ここで、保管場所情報は、商品の保管場所を示す情報である。保管場所情報は、タブレット端末２や携帯端末５から購入品管理サーバ８にアクセスして会員自らが登録する。例えば、保管場所情報は、冷蔵庫或いは冷凍庫の何段目に保管されているかを特定する情報である。購入品在庫数量は、購入数量から、会員が入力した使用量を差し引くことによって算出された、会員宅における購入品の在庫数量である。
【００５６】
尚、購入品管理ＤＢ８５２は、電子レシートデータに基づいて上記以外の情報をさらに管理してもよい。例えば、取引日に基づいて各購入品の購入日を格納してもよい。或いは消費期限、賞味期限などを格納してもよい。
【００５７】
買物メモ管理ＤＢ８５３は、各会員が買物メモとして入力支援装置１から入力した購入予定商品の商品情報を記憶し、管理するためのデータベースである。買物メモ管理ＤＢ８５３は、入力支援装置１が出力した購入予定商品の商品情報（商品名または商品コード）と、買物メモを出力した入力支援装置１の会員ＩＤとを対応付けて格納する。
【００５８】
図９は、買物メモ管理ＤＢ８５３のデータ構成例を示す図である。図９に示すように、買物メモ管理ＤＢ８５３は、会員ＩＤに対応付けて、その会員ＩＤに対応する会員が買物支援システム４から入力した購入予定商品の商品情報を格納する。
【００５９】
メモ管理番号は、買物メモとして入力した購入予定商品を管理するための管理番号であり、購入予定商品ごとに固有の番号が割り振られる。商品情報には、買物支援システム４から出力された購入予定商品の商品名や商品コード等の商品情報が格納される。関連画像データには、買物メモに関連する画像データが格納される。例えば、タブレット端末２において購入予定商品が手書き入力された際には、手書きメモの画像データがメモ管理番号に対応付けて買物メモ管理ＤＢ８５３に格納される。
【００６０】
購入品在庫情報には、買物メモとして入力された購入予定商品が購入品管理ＤＢ８５２に登録されており、会員宅に在庫が有る際に、その在庫品に関する情報が格納される。購入品管理サーバ８は、購入予定商品と同一の購入品が購入品管理ＤＢ８５２に格納されていれば、当該購入品の管理番号、商品コード、購入数量、保管場所情報、購入品在庫数量（図８参照）を購入品管理ＤＢ８５２から読み込み、各データを関連付けて、購入品在庫情報として買物メモ管理ＤＢ８５３に格納する。
【００６１】
商品データファイル８５４は、商品コードに対応付けて、商品名、商品カテゴリ、メーカ情報、価格等の商品情報を格納するマスタファイルである。
【００６２】
次に、購入品管理サーバ８で実行されるプログラムについて説明する。購入品管理サーバ８において、制御部８１のＣＰＵは記憶部８５のプログラムを実行することにより、図７に示すように、電子レシート管理部８１１、購入品管理部８１２、購入品情報提供部８１３をＲＡＭ上に生成する。
【００６３】
電子レシート管理部８１１は、ネットワークＮ２を介して電子レシートサーバ７から送信される電子レシートを受信する。電子レシート管理部８１１は、受信した電子レシートを記憶部８５の電子レシートＤＢ８５１に格納する。
【００６４】
購入品管理部８１２は、電子レシートＤＢ８５１に電子レシートが格納される毎に、当該電子レシートに含まれる会員ＩＤ及び商品コードを抽出し、購入品管理ＤＢ８５２に登録する。即ち購入品管理部８１２は、電子レシートから会員ＩＤ及び商品コードを抽出すると、抽出した商品コードの各々に管理番号を付与する。そして購入品管理部８１２は、管理番号を付与した商品コードの各々を、抽出した会員ＩＤに関連付けて、購入品管理ＤＢ８５２に登録する。また、抽出した会員ＩＤが購入品管理ＤＢ８５２に登録済である場合には、該当する会員ＩＤに関連付けて、管理番号を付与した商品コードの各々を登録する。
【００６５】
上述したように、管理番号（図８参照）は購入品の各々を管理するために用いられる。従って、同一の商品コードの購入品が複数存在する場合には、購入品管理部８１２は、購入品それぞれを個別に管理できるように異なる管理番号を付番する。また、購入品管理部８１２は、電子レシートにおいて商品コードが同じ購入品が複数購入された場合には、その購入品を１点ずつに分けて、それぞれの購入品に管理番号を付番する。
【００６６】
また、購入品管理部８１２は、タブレット端末２または携帯端末５から、会員ＩＤ、購入品の管理番号及び消費数量を受信する。購入品管理部８１２は、受信した会員ＩＤ及び管理番号について、購入品の在庫数量から消費数量を減算する。購入品管理部８１２は、減算の結果、数量が０（或いはマイナス値）となった場合、その管理番号の購入品情報を購入品管理ＤＢ８５２から削除する。無論、タブレット端末２または携帯端末５から在庫数量を直接送信して、購入品管理部８１２による計算を経ずに在庫数量を更新してもよい。
【００６７】
購入品情報提供部８１３は、買物支援システム４の入力支援装置１から、会員ＩＤと購入予定商品の商品情報を指定した在庫確認要求を受付ける。購入品情報提供部８１３は、受信した購入予定商品と同一の商品、または購入予定商品に相当する商品（以下では、購入予定商品に相当する商品と称する）が、指定された会員ＩＤの購入品在庫として購入品管理ＤＢ８５２に登録されているか否かを判定する。
【００６８】
例えば、入力支援装置１が購入予定商品として「牛乳」という商品名の入力を受付ける。一方、購入品管理ＤＢ８５２の当該会員ＩＤについては、「ＡＡＡ牛乳１Ｌ、在庫数量、１本」と登録されている。この場合、購入品情報提供部８１３は、購入予定商品（牛乳）に相当する商品が、この会員の購入品在庫に有るとして、「在庫有」を示す通知データを入力支援装置１に返信応答する。
【００６９】
また、購入品情報提供部８１３は、買物支援システム４のタブレット端末２から、会員ＩＤを指定したアクセス要求を受け付けると、その会員ＩＤの購入品情報を購入品管理ＤＢ８５２から読み出す。購入品情報提供部８１３は、読み出した購入品情報に基づき購入品管理画面（不図示）の表示データを生成し、アクセス元のタブレット端末２に送信（提供）する。会員は、タブレット端末２が表示した購入品管理画面を介して、購入品に関する情報を編集できる。
【００７０】
（５）買物支援システム
（５−１）タブレット端末
次に、買物支援システム４が有するタブレット端末２の構成について説明する。図１０は、タブレット端末２のハードウェア構成例および機能的構成を示すブロック図である。図１０に示すように、タブレット端末２は、ＣＰＵやＲＯＭ、ＲＡＭ、ＲＴＣ等のコンピュータ構成を有する制御部２１を備えている。制御部２１は、バス２９を介して表示部２２、操作部２３、撮像部２４、音声入力部２５、通信Ｉ／Ｆ２６、近距離通信Ｉ／Ｆ２７、記憶部２８に接続されている。制御部２１は、通信Ｉ／Ｆ２６を介してネットワークＮ３に接続する。
【００７１】
表示部２２は液晶ディスプレイ等の表示器であり、表面に操作部２３として機能するタッチパネルを備えている。尚、操作部２３はタッチパネルの他、電源キーやホームボタン等の操作キーを備えている。制御部２１は、表示部２２における表示処理を制御する。また、制御部２１は、操作部２３における操作を受付ける。例えばタッチパネルにおいて手書き入力を受付けると、制御部２１は手書き入力の画像データを記憶部２８に保存し、表示部２２に表示する。加えて制御部２１は、手書き入力の画像について文字認識処理を行い、購入予定商品の商品名等の情報を受付ける。
【００７２】
記憶部２８は、制御部２１（ＣＰＵ）が実行する各種プログラムの他、各種データを記憶する。また、記憶部２８は、会員ＩＤやパスコード等を格納するための会員ＩＤ記憶領域２８１を有している。
【００７３】
次に、タブレット端末２が実行するプログラムについて説明する。タブレット端末２において、制御部２１のＣＰＵは記憶部２８のプログラムを実行することにより、図１０に示すように、通信制御部２１１と、表示制御部２１２をＲＡＭ上に生成する。尚、当該プログラムは、例えばＷｅｂブラウザプログラムや、本システム専用のプログラム（アプリケーション）により実現される。
【００７４】
通信制御部２１１は、購入品管理サーバ８との間で各種情報の授受を行う。例えば、通信制御部２１１は、購入品管理サーバ８から提供される各種画面の表示データを受信する。また、通信制御部２１１は、操作部２３の操作に応じて、各種の要求を購入品管理サーバ８に送信する。
【００７５】
表示制御部２１２は、表示部２２の表示動作を制御し、表示部２２に各種情報を表示させる。また、表示制御部２１２は通信制御部２１１と協働して、購入品在庫を管理するための画面（不図示）や、買物メモ画面（図１３参照）を表示部２２に表示させる。
【００７６】
（５−２）入力支援装置
次に、買物支援システム４が有する入力支援装置１の構成について説明する。図１１は、入力支援装置のハードウェア構成例および機能的構成を示すブロック図である。図１１に示すように、入力支援装置１は、ＣＰＵやＲＯＭ、ＲＡＭ、ＲＴＣ等のコンピュータ構成を有する制御部１１を備えている。制御部１１は、バス１９を介して通信Ｉ／Ｆ１６、表示器１７、記憶部１８、音声入力ボタン１２、コード読取ボタン１３、マイク１４、コードスキャナ１５、バイブレータ９１に接続されている。
【００７７】
制御部１１は、通信Ｉ／Ｆ１６を介してネットワークＮ３に接続する。本実施形態では表示器１７としてラインインジケータを用いる。尚、表示器１７の構成はこれに限定されず、液晶ディスプレイ等のその他の表示器を用いてもよい。記憶部１８は、制御部１１（ＣＰＵ）が実行する各種プログラムを記憶する。また、記憶部１８は、会員ＩＤを格納するための会員ＩＤ記憶領域１８１を有している。図４とともに上述したように、音声入力ボタン１２はマイク１４からの音声入力を開始するためのボタンである。また、コード読取ボタン１３は、コードスキャナ１５からのコード入力を開始するためのボタンである。
【００７８】
次に、入力支援装置１が実行するプログラムについて説明する。入力支援装置１において、制御部１１のＣＰＵは記憶部１８のプログラムを実行することにより、図１１に示すように、入力受付部１１１と、問合部１１２と、報知部１１３と、買物メモ出力部１１４とをＲＡＭ上に生成する。
【００７９】
入力受付部１１１は、マイク１４からの音声入力、または、コードスキャナ１５からのコードデータ入力を介して、購入予定商品に関する商品情報を受付ける。購入予定商品に関する商品情報は、購入予定商品の商品名、商品コード等である。尚、入力受付部１１１は、これら商品情報に限定されず、買物メモとして含めたいその他の情報（製品のメーカ指定、購入予定個数など）を受付けてもよい。
【００８０】
問合部１１２は、購入品管理サーバ８の購入品管理ＤＢ８５２に、会員ＩＤ記憶領域１８１に格納された会員ＩＤと、入力受付部１１１が受付けた購入予定商品の商品情報とを関連付けて出力する。そして問合部１１２は、購入品管理ＤＢ８５２に、当該購入予定商品の購入品在庫の有無を問い合わせる。
【００８１】
報知部１１３は、問合部１１２による問合せの結果に応じて、購入予定商品の購入品在庫の有無を報知する。即ち、購入品管理サーバ８が、購入品管理ＤＢ８５２に購入予定商品の購入品在庫が有ることを確認し、入力支援装置１に対して「購入品在庫有り」と応答する。すると、報知部１１３は、購入予定商品の購入品在庫が有る旨をユーザ（会員）に報知する。報知方法は特に限定されないが、例えば報知部１１３は、表示器１７に入力受付部１１１が受付けた商品名を表示した後に、「在庫有り」等のメッセージを表示する。
【００８２】
尚、商品名表示と在庫表示の表示方法は特に限定されない。商品名が短ければ、図３に示すように商品名の隣に在庫有無の表示を並べてもよい。商品名が長ければ、商品名と在庫有無の表示を切り替えて交互に表示すればよい。或いは文字の表示位置を移動させて、即ち文字が流れるように表示して、商品名と在庫有無の表示を順次表示してもよい。
【００８３】
また、報知部１１３は、上述のように購入予定商品の購入品在庫が有る場合に、バイブレータ９１を動作させて、購入品在庫が有る旨をユーザに報知する。
【００８４】
尚、報知方法はこれらに限定されず、音声出力やブザー音出力などを用いたり、これらを組み合わせたりしてユーザに在庫を報知してもよい。或いは、ＬＥＤ（Light  Emitting  Diode）等の発光素子を用いて、購入品在庫の有無により、点灯色や点滅パターン等を変えて購入品在庫の状況を報知してもよい。
【００８５】
また、報知内容についても、「購入品在庫有り」「在庫有り」などと在庫の有無を簡潔に報知してもよいが、入力支援装置１は買物メモの登録時に他の情報を加えて報知してもよい。例えば購入品管理ＤＢ８５２に、購入予定商品に相当する商品が購入品として登録されており、購入予定商品に相当する商品が会員宅に購入品在庫として有る場合に、報知部１１３はその在庫品に関する情報を報知してもよい。例えば報知部１１３は、購入品の在庫に関して、その在庫数量、購入日、上述した製品名、保管場所などを報知してもよい。表示または音声出力するメッセージの例としては、「在庫３個有り」「未使用品３個」「冷蔵庫Ｘ段目に在庫あり」「緊急用持出袋に在庫が３つ有ります」などである。
【００８６】
買物メモ出力部１１４は、入力受付部１１１が受付けた購入予定商品の商品情報と、会員ＩＤ記憶領域１８１に格納された会員ＩＤとを関連付けた、買物メモ情報を生成する。そして買物メモ出力部１１４は、生成した買物メモ情報を購入品管理サーバ８に送信し、買物メモ管理ＤＢ８５３に登録する。
【００８７】
次に、入力支援装置１の動作例について説明する。図１２は、入力支援装置１が購入品管理サーバ８と協働して行う買物メモ登録処理の手順例を示すフローチャートである。
【００８８】
入力受付部１１１がコードスキャナ１５からの商品コード入力を受付けた場合（ステップＳ１：Ｙｅｓ）、問合部１１２は、受付けた商品コードに対応する商品名を購入品管理サーバ８に問い合わせる（ステップＳ２）。
【００８９】
購入品管理サーバ８は商品データファイル８５４（図７参照）を検索して（ステップＳ１１）、問合せされた商品コードに対応する商品名を読み込む。そして、購入品管理サーバ８は、読み込んだ商品名を入力支援装置１に送信して応答する（ステップＳ１２）。
【００９０】
報知部１１３は、購入品管理サーバ８から商品名を受信し、受信した商品名を表示器１７に表示して報知する（ステップＳ４）。尚、報知部１１３は、商品名を音声出力して報知してもよい。
【００９１】
ステップＳ１：Ｎｏの際に入力受付部１１１がマイク１４からの音声入力を受付けると（ステップＳ３：Ｙｅｓ）、報知部１１３は音声識別により識別した商品名を、表示器１７に表示して報知する（ステップＳ４）。尚、入力支援装置１は、音声識別結果を購入品管理サーバ８に問合せて、商品データファイル８５４に登録されている商品名（例えばメーカー別の製品名）を購入品管理サーバ８から受信し、報知してもよい。
【００９２】
次に、問合部１１２は、入力受付部１１１が受付けた商品コードまたは商品名の商品について、会員宅における購入品在庫を購入品管理サーバ８に問い合わせる（ステップＳ５：在庫確認要求）。
【００９３】
・商品コードによる問合せ
問合部１１２は、ステップＳ１で受付けた商品コードと、会員ＩＤ記憶領域１８１に格納された会員ＩＤとを関連付けて、購入品管理サーバ８に出力する。これにより問合部１１２は、ステップＳ１で受付けた商品コードの商品（購入予定商品）について、当該会員が自宅に保有している購入品在庫を、購入品管理サーバ８に問い合わせる。
【００９４】
・商品名による問合せ
問合部１１２は、ステップＳ２で音声認識した商品名と、会員ＩＤ記憶領域１８１に格納された会員ＩＤとを関連付けて、購入品管理サーバ８に出力する。これにより問合部１１２は、ステップＳ２で受付けた商品名の商品について、当該会員が保有している購入品在庫を、購入品管理サーバ８に問い合わせる。
【００９５】
一方、入力受付部１１１がコード入力を受付けず（ステップＳ１：Ｎｏ）、さらに音声入力も受付けなければ（ステップＳ３：Ｎｏ）、ステップＳ１に戻って待機する。
【００９６】
ステップＳ５において入力支援装置１から問合せ（在庫確認要求）を受信すると、購入品管理サーバ８の購入品情報提供部８１３は、受信した購入予定商品に相当する商品が、指定された会員ＩＤの購入品在庫として購入品管理ＤＢ８５２に登録されているかを判定する。そして、購入品情報提供部８１３は、購入品在庫の有無を通知するための情報を、入力支援装置１に送信応答する（ステップＳ１３）。
【００９７】
入力支援装置１の報知部１１３は購入品管理サーバ８からの応答を受信する。そして、購入予定商品の購入品在庫が有る旨の応答を受信した場合（ステップＳ６：Ｙｅｓ）、報知部１１３はバイブレータ９１を動作させ、かつ、購入品在庫が有る旨のメッセージを表示器１７に表示して在庫有りを報知する（ステップＳ７）。一方、購入予定商品の購入品在庫が無い旨の応答を受信した場合（ステップＳ６：Ｎｏ）はステップＳ８に移行する。
【００９８】
買物メモ出力部１１４は、在庫確認要求に含めた購入予定商品の商品情報および会員ＩＤを対応付けて買物メモ情報を生成する。そして、買物メモ出力部１１４は、生成した買物メモ情報を購入品管理サーバ８に送信（出力）する（ステップＳ８）。購入品管理サーバ８は、入力支援装置１から受信した買物メモ情報を買物メモ管理ＤＢ８５３に登録する（ステップＳ１４）。
【００９９】
タブレット端末２または携帯端末５は、会員ＩＤを指定して買物メモの閲覧要求を購入品管理サーバ８に送ることにより、買物メモ管理ＤＢ８５３に登録された各々の買物メモにアクセスすることができる。購入品管理サーバ８は、閲覧要求に含まれる会員ＩＤの買物メモデータを買物メモ管理ＤＢ８５３から読み出し、閲覧要求のあったタブレット端末２または携帯端末５に買物メモ画面の表示データを送信応答する。
【０１００】
図１３は、買物メモ画面の画面構成例を示す図である。図１３に例示するように、買物メモ画面１３０には、買物メモ管理ＤＢ８５３に登録された買物メモが含む購入予定商品の商品情報１３１が表示される。購入予定商品の商品情報としては、商品名、商品コードから読み込まれた商品名が表示される。購入予定商品の商品情報として、商品コードをあわせて表示してもよい。
【０１０１】
買物メモ画面１３０においては買物メモの編集を受付けることができる。例えば、手元の購入済み商品の在庫が少なくなった際に、会員はとりあえず入力支援装置１でその商品の商品コードを読み取って、買物メモに登録しておく。或いは、購入したい商品を思い立った際に、会員はとりあえず入力支援装置１の音声入力ボタン１２を押して音声入力し、買物メモに登録しておく。そして会員は、後ほどタブレット端末２または携帯端末５に表示させた買物メモ画面１３０から、購入予定個数を調整したり、類似商品の検討をしたりすればよい。
【０１０２】
また、店舗側は買物メモ管理ＤＢ８５３に登録された購入予定商品に対して、クーポンやおすすめ情報などを付加し、買物メモ画面に表示させてもよい。例えば購入予定商品に電子クーポンや電子公告を対応付けた場合には、電子クーポンや電子公告を表示させるための操作子（電子クーポンや電子公告が表示されたＷｅｂページのリンクを含むアイコンなど）を買物メモ画面の表示データに含めればよい。
【０１０３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【０１０４】
以上説明した通り、本実施形態の入力支援装置１は、音声入力またはコード入力を介して受付けた購入予定商品の商品情報と、会員ＩＤ記憶領域１８１が記憶する会員ＩＤとを対応付けて買物メモ情報を生成し、生成した買物メモ情報を購入品管理サーバ８に出力し、購入品管理サーバ８の買物メモ管理ＤＢ８５３に登録する。このように入力支援装置１は、会員ログイン等の操作を必要とせず、音声入力や、補充したい商品のコードを読み取ればその商品を買物メモとして簡便に登録できる。また、本実施形態によれば、買物メモの入力時に購入品在庫の有無を報知するので、購入予定商品が自宅にまだ残っているか在庫確認を併せて行うことができる。
【符号の説明】
【０１０５】
１００…購入品管理システム、１…入力支援装置、２…タブレット端末、３…充電ドック、４…買物支援システム、５…携帯端末、６…ＰＯＳ端末、７…電子レシートサーバ７…購入品管理サーバ、１１…制御部、１１１…入力受付部、１１２…問合部、１１３…報知部、１１４…買物メモ出力部、１３０…買物メモ画面、１８１…会員ＩＤ記憶領域。
【先行技術文献】
【特許文献】
【０１０６】
【特許文献１】特開２００９−５９１７３号公報
【図１】
2019057330.tif 000003
【図２】
2019057330.tif 000004
【図３】
2019057330.tif 000005
【図４】
2019057330.tif 000006
【図５】
2019057330.tif 000007
【図６】
2019057330.tif 000008
【図７】
2019057330.tif 000009
【図８】
2019057330.tif 000010
【図９】
2019057330.tif 000011
【図１０】
2019057330.tif 000012
【図１１】
2019057330.tif 000013
【図１２】
2019057330.tif 000014
【図１３】
2019057330.tif 000015
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
装置正面に設けられた表示器と、
音声入力を開始するための音声入力ボタンと、
音声入力用のマイクと、
前記音声入力ボタンの操作を受付けると、前記マイクによる音声入力を開始して、購入予定商品に関する商品情報を受付ける音声入力受付手段と、
会員が購入した購入品と使用した前記購入品とを管理することにより前記会員が所有する購入品在庫を記憶する購入品在庫記憶手段に対して、自装置が記憶する会員識別情報と、前記音声入力受付手段が受付けた前記購入予定商品の商品情報とを関連付けて出力し、前記購入予定商品の購入品在庫の有無を問い合わせる購入品在庫問合手段と、
前記購入品在庫記憶手段において前記購入予定商品の購入品在庫が有る旨が記憶されていれば、当該購入予定商品の在庫が有る旨を報知する在庫報知手段と、
前記音声入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する買物メモ情報出力手段と、
を備えた入力支援装置。
【請求項２】
前記購入品在庫記憶手段は、前記会員が購入した購入品の数量と、当該会員が使用した当該購入品の数量とに基づいた在庫数量を記憶し、
前記在庫報知手段は、前記購入予定商品と同一の前記購入品について、その在庫が有ると前記購入品在庫記憶手段が記憶していれば、当該購入品の在庫数量を報知する、請求項１に記載の入力支援装置。
【請求項３】
前記購入品在庫記憶手段は、前記会員が購入した購入品について、その購入日を記憶し、
前記在庫報知手段は、前記購入予定商品と同一の前記購入品について、その在庫が有ると前記購入品在庫記憶手段が記憶していれば、当該購入品の購入日を報知する、請求項１または２に記載の入力支援装置。
【請求項４】
前記購入品在庫記憶手段は、前記購入品の製品名を記憶し、
前記在庫報知手段は、前記購入予定商品と同一の前記購入品についてその在庫が有ると前記購入品在庫記憶手段が記憶していれば、当該購入品について前記購入品在庫記憶手段が記憶している前記製品名を報知する、請求項１ないし３のいずれか１つに記載の入力支援装置。
【請求項５】
前記購入品在庫記憶手段は、前記購入品の保管場所を記憶し、
前記在庫報知手段は、前記購入予定商品と同一の前記購入品についてその在庫が有ると前記購入品在庫記憶手段が記憶していれば、当該購入品について前記購入品在庫記憶手段が記憶している前記保管場所を報知する、請求項１ないし４のいずれか１つに記載の入力支援装置。
【請求項６】
装置正面に設けられた表示器と、音声入力を開始するための音声入力ボタンと、音声入力用のマイクと、を備えた入力支援装置において、コンピュータを、
前記音声入力ボタンの操作を受付けると、前記マイクによる音声入力を開始して、購入予定商品に関する商品情報を受付ける音声入力受付手段と、
会員が購入した購入品と使用した前記購入品とを管理することにより前記会員が所有する購入品在庫を記憶する購入品在庫記憶手段に対して、自装置が記憶する会員識別情報と、前記音声入力受付手段が受付けた前記購入予定商品の商品情報とを関連付けて出力し、前記購入予定商品の購入品在庫の有無を問い合わせる購入品在庫問合手段と、
前記購入品在庫記憶手段において前記購入予定商品の購入品在庫が有る旨が記憶されていれば、当該購入予定商品の在庫が有る旨を報知する在庫報知手段と、
前記音声入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する買物メモ情報出力手段と、
して機能させるためのプログラム。
【手続補正２】
【補正対象書類名】明細書
【補正対象項目名】０００５
【補正方法】変更
【補正の内容】
【０００５】
実施形態の実施形態の入力支援装置は、装置正面に設けられた表示器と、音声入力を開始するための音声入力ボタンと、音声入力用のマイクと、前記音声入力ボタンの操作を受付けると、前記マイクによる音声入力を開始して、購入予定商品に関する商品情報を受付ける音声入力受付手段と、会員が購入した購入品と使用した前記購入品とを管理することにより前記会員が所有する購入品在庫を記憶する購入品在庫記憶手段に対して、自装置が記憶する会員識別情報と、前記音声入力受付手段が受付けた前記購入予定商品の商品情報とを関連付けて出力し、前記購入予定商品の購入品在庫の有無を問い合わせる購入品在庫問合手段と、前記購入品在庫記憶手段において前記購入予定商品の購入品在庫が有る旨が記憶されていれば、当該購入予定商品の在庫が有る旨を報知する在庫報知手段と、前記音声入力受付手段が受付けた前記購入予定商品の商品情報と、前記自装置が記憶する会員識別情報と、を関連付けて買物メモ情報を生成し、生成した当該買物メモ情報を、前記会員ごとの購入予定商品を各会員の前記会員識別情報により識別可能に記憶する買物メモ記憶手段に出力する買物メモ情報出力手段と、を備える。